(57)【要約】【課題】より実行可能にするために、ハイブリッド型塔のコンセプトをさらに発達させること。【解決手段】ハイブリッド型塔の建設方法において、金属支柱（４）は建築されて基礎（１１）に接続され、コンクリート構造体（３）は、支持体として金属支柱を用いることによって、金属支柱を囲むように建設される。その後、金属支柱は、基礎から外され、金属支柱を入れ子式に嵌め込むこと及びコンクリート構造体に沿って案内することによって持ち上げられる。最終的に、持ち上げられた金属支柱はコンクリート構造体に接続される。【選択図】図２
2011220102.tif 000002
【特許請求の範囲】
【請求項１】
−  基礎（１１）に接続された金属支柱（４）を建築する工程と、
−  支持体として前記金属支柱を用いることによって、前記金属支柱を囲むように複数の重ねられたコンクリートセグメント（６）を有するコンクリート構造体（３）を建設する工程と、
−  前記基礎から前記金属支柱を外す工程と、
−  前記コンクリート構造体に沿って前記金属支柱を入れ子式に嵌め込み、案内することによって、前記金属支柱を持ち上げる工程と、
−  持ち上げられた前記金属支柱を前記コンクリート構造体に接続する工程と、
を備えるハイブリッド型塔（１）の建設方法であって、
前記コンクリート構造体を建設する工程は、
ａ）前記コンクリート構造体（３）の少なくとも１つの前記第一セグメント（６）を設置する工程と、
ｂ）前記金属支柱（４）を用いて前記コンクリート構造体（３）の持ち上げられた前記セグメント（６）を案内することによって、前記金属支柱（４）に沿って前記コンクリート構造体の設置された前記セグメントを持ち上げて、前記コンクリート構造体の次のセグメントを受けるのに十分な高さを有するスペースを空ける工程と、
ｃ）前記コンクリート構造体の前記次のセグメントを前記スペースに設置する工程と、
ｄ）前記コンクリート構造体の最後のセグメントが前記コンクリート構造体の底部に設置されるまで前記工程ｂ）及びｃ）を繰り返す工程と、
を備えることを特徴とするハイブリッド型塔（１）を建設する方法。
【請求項２】
前記コンクリート構造体（３）は、あらかじめ加工された要素を組み立てることによって建設されることを特徴とする請求項１に記載の方法。
【請求項３】
前記金属支柱（４）の上部に風力発電機のナセル（５）を搭載する工程をさらに備える、請求項１または請求項２に記載の方法。
【請求項４】
案内構造体（１０）は、金属支柱（４）の底部分に接続され、
前記案内構造体は、前記金属支柱が持ち上げられると前記コンクリート構造体（３）と協働するための案内部品（３０）が設けられた下側部分を有することを特徴とする請求項１から請求項３のいずれか１項に記載の方法。
【請求項５】
前記金属支柱を持ち上げる工程の後、前記案内構造体（１０）は、前記金属支柱（４）の底部分から外されることを特徴とする請求項４に記載の方法。
【請求項６】
前記金属支柱を建築する工程において、案内構造体（１０）は、前記金属支柱（４）と前記基礎（１１）との間に取り付けられ、
前記コンクリート構造体（３）を建設する工程において、前記案内構造体は、持上支持構造体として使われることを特徴とする請求項４または請求項５に記載の方法。
【発明の詳細な説明】
【技術分野】
【０００１】
この発明は、コンクリートで作られた下側部分と金属で作られた上側部分とを有するハイブリッド型塔の建築に関する。
【背景技術】
【０００２】
典型的に、上記の塔は、地上高い所で（例えば、約１４０メートル）、大出力（例えば、３メガワット以上）の沿岸の風力発電機のナセルを支えるのに使われる。
【０００３】
風力発電機塔の高さが高くなると、従来の円柱状の鋼製支柱のコストは過剰になる。円柱状の金属支柱の技術的な制限を回避するために、いくつかの製造業者は鋼製格子（もしくは、トラス）で作られた塔を開発している。しかし、そのような塔は、審美性が乏しい。
【０００４】
他の製造業者は、クライミングまたは、スライディング型枠を用いて、少なくとも塔の高さの一部の所定場所にコンクリートを流し込んで塔を作る。この種の施工法は、コンクリートの凝固を遅らせる、または、妨げる現場で経験される温度条件と、コンクリート枠組が高いクレーンで搭載されなければならないので風の条件と、の影響を受けやすい。このような施工法は、塔がとても高いため、とても高価になる。
【０００５】
いくつかの風力発電機塔は、そのすべての高さにわたってあらかじめ加工されたコンクリート要素で作られる。要素は、高いクレーンを用いて持ち上げられる。それらは、地上で環状のセグメントに組み立てられることがあり、クレーンは、セグメント全体を持ち上げるのに、または、それらの高い位置に直接持ち上げるのに十分に強力である。このような工法の欠点は、建築の遅れに対して強力な影響をもたらす風及び関連する規制上の制約に対するその過敏性である。ほかの制限は、何ヶ月も前から用意しなければならない十分な出力及び高さのクレーンの利用可能性である。
【０００６】
いくつかの入れ子式技術（telescoping technique）は、風力発電所を建設するために提案されている。例えば、特許文献１は、下から新しいセグメントを挿入するために、持上装置によって持ち上げられる支柱セグメントを有する風力発電所を開示している。特許文献２は、ジャッキと鉄塔の底部に固定されたバランスウエイトとを用いて、高い建造物の頂部に鉄塔を持ち上げる方法を開示している。風車の組み立てのためのほかの持上装置は、特許文献３で開示されている。
【０００７】
高さの一部（例えば５０ｍ以上）におけるコンクリート部とその頂部における金属支柱とで作られたハイブリッド型塔のコンセプトによって、産業上のコンクリート処理を活用し、かつ土木工事請負人に対して、高い能力のクレーンを用いて重量物を取り扱う必要性を回避することが可能となる。上記の技術は、ナセルを設置するためにそれら自体の専用のクレーンを所有する風力発電機の供給者の組織に適合する。しかしながら、実際には上記の技術はほとんど実施されていない。
【先行技術文献】
【特許文献】
【０００８】
【特許文献１】独国特許第１０１１１２８０号明細書
【特許文献２】特許第１１９０８８３号公報
【特許文献３】国際公開第２００７／１２５１３８号パンフレット
【発明の概要】
【発明が解決しようとする課題】
【０００９】
より実行可能にするために、ハイブリッド型塔のコンセプトをさらに発達させる必要がある。
【課題を解決するための手段】
【００１０】
−  基礎に接続された金属支柱を建築する工程と、
−  支持体として金属支柱を用いることによって、金属支柱を囲むように複数の重ねられたコンクリートセグメントを有するコンクリート構造体を建設する工程と、
−  基礎から金属支柱を外す工程と、
−  コンクリート構造体に沿って金属支柱を入れ子式に嵌め込み（telescoping）、案内することによって金属支柱を持ち上げる工程と、
−  持ち上げられた金属支柱をコンクリート構造体に接続する工程と、
を備えるハイブリッド型塔を建設する方法が提案される。
【００１１】
コンクリート構造体を建設する工程は、
ａ）コンクリート構造体の第一セグメントを少なくとも１つ設置する工程と、
ｂ）コンクリート構造体の次のセグメントを受けるのに十分な高さを有するスペースを空けるために、適切な支持機構を用いて金属支柱に沿ってコンクリート構造体の持ち上げられたセグメントを案内することによって、金属支柱に沿ってコンクリート構造体の設置されたセグメントを持ち上げる工程と、
ｃ）コンクリート構造体の次のセグメントを前記スペースに設置する工程と、
ｄ）コンクリート構造体の最後のセグメントがコンクリート構造体の底部に設置されるまで工程ａ）及びｂ）を繰り返す工程と、
を備える。
【００１２】
コンクリート構造体を建設する場合、金属支柱は、支持体として使われ、その後、コンクリート構造体は、金属支柱を持ち上げるための支持体として使われる。その方法は、環境条件がより良好に管理または制御される地上で多くの工程が実行されるために、広い風力発電地帯の産業設備によく適している。
【００１３】
コンクリート構造体の高さの少なくとも一部には現場でのキャスティング法が使われるが、主として、コンクリート構造体は、あらかじめ加工された要素を組み立てることによって建設される。
【００１４】
実施形態において、案内構造体は、金属支柱の底部分に接続され、案内構造体は、金属支柱が持ち上げられるとコンクリート構造体と協働するための案内部品が設けられた下側部分を有する。案内構造体は、金属支柱の底部分に取り外し可能に接続され、金属支柱を持ち上げる工程の後、ほかの塔の建設に再利用されるために外される。
【００１５】
案内構造体は、金属支柱を建築する工程において、金属支柱と基礎との間に取り付けられ、コンクリート構造体を建設する工程において、持上支持構造体として使われる。
【００１６】
ここで公開されたこの方法及び塔のほかの特徴及び利点は、添付された図面を参照しながら、限定されない実施形態の以下の説明から明らかになる。
【図面の簡単な説明】
【００１７】
【図１】ハイブリッド型塔の頂部に設置した風力機械の概略斜視図である。
【図２】発明の実施形態におけるハイブリッド型塔の建築のさまざまな工程を示す図である。
【図３】発明の実施形態におけるハイブリッド型塔の建築のさまざまな工程を示す図である。
【図４】発明の実施形態におけるハイブリッド型塔の建築のさまざまな工程を示す図である。
【図５】発明の実施形態におけるハイブリッド型塔の建築のさまざまな工程を示す図である。
【図６】発明の実施形態におけるハイブリッド型塔の建築のさまざまな工程を示す図である。
【発明を実施するための形態】
【００１８】
図１を参照すると、風力発電機２のためのハイブリッド型塔１は、下側部分であるコンクリート構造体３と上側部分である金属支柱４とを有する。発電機２のためのナセル５は、金属支柱４の頂部に搭載される。支柱４は、ボルトで締めるまたは溶接することによって組み立てられた１以上の円柱状の鋼製セクションで作られる。
【００１９】
図示された実施形態において、コンクリート構造体３はあらかじめ加工されたコンクリート要素から現地で組み立てられた、重ねられたセグメント６を有する。コンクリート構造体３は、すべての高さにわたって一定の角度で形成されたほぼ円錐形をしている。塔の壁と風力発電機２の動翼７との間に一定距離を有することが望ましい場合、円錐形の上に円柱状のコンクリートセクションを有することも可能である。図１で示される例では、円錐形は円形基部を有する。例えば、コンクリート要素を形作るために型枠要素の数を最小化することを可能にする一定の角度のピラミッド形など、さまざまなほかの形状も使われることができることが理解される。
【００２０】
ハイブリッド型塔を建設するために、まず、基礎（図１には示していない）が地上に設置される。それは、地面に深く延在するバーを有する深い基礎、または、塔を安定させるのに十分な慣性部（inertia）及び水平な拡張部を有する表面的な基礎であってもよい。その後、コンクリート構造体３を建設する際に支柱構造体として使用されるために、鋼製支柱４が建築され、それの底部において基礎と強固に接続される。コンクリート構造体が完成されると、金属支柱は、基礎から外され、コンクリート構造体に沿って入れ子式に嵌め込み、案内することによって、持ち上げられる。持ち上げストロークの終わりに、鋼製支柱４はコンクリート構造体３の上側部分とつなげられる。
【００２１】
構造体３は、あらかじめ加工されたコンクリート要素をクレーンまたは支柱４の頂部に搭載されたウインチを用いて持ち上げ、それらと建設されている構造体とを結合することによって、建設される。中心支柱４は、特に風が吹いているときに役立つ要素を持ち上げるための、及び／または位置合わせするための支持体として使われる。
【００２２】
例が図２から図５で説明されるその他の実施形態において、コンクリート構造体は、頂部から底部までセグメントを最下部から組み立てることによって建設される。それぞれのセグメント６は、地上でコンクリート要素を組み立て、縦目地に平行にそれらを結合することで作られる。必要であれば、風から作業領域を保護するために、かつ適温を確保するために囲いを準備することによって、環境条件を制御することが比較的容易であるので、地上でコンクリートセグメントを製造することは有利である。
【００２３】
図２に示されるように、金属支柱が建築されると、支持構造体１０は金属支柱と基礎１１との間に取り付けられる。図示された例では、支持構造体１０は、持ち上げる工程で使われるジャッキを搭載するための水平台１２と、基礎１１と水平台１２との間にある下側フレーム１３と、水平台１２と支柱４の底部との間にある上側フレーム１４と、を有する。フレーム１３、１４は、例えば、鋼製格子（または、トラス）で作られている。
【００２４】
図２は、建築が完了されると、コンクリート構造体３の頂部に位置するコンクリート構造体３の第一のセグメント６を示す。このセグメント６は、地上に施設されたガイドレールを用いて所定の位置に置かれたいくつかのあらかじめ加工されたコンクリート要素を組み立てることによって、または、支持構造体１０の下側フレーム１３を囲むように基礎１１の上に配置された型枠にコンクリートを流し込むことによって、作られる。いったん第一のセグメント６が完成されると、ブラケット１６がセグメントの底部近傍においてその内面に固定される。それぞれのブラケット１６には、引き上げケーブル１８の下端を受けるための水平な受面１７がある。多数のブラケット１６（例えば８個）は、セグメント６の周囲に沿って分布される。その下端がブラケット１６の受面１７に接触支持するそれぞれの引き上げケーブル１８は、ジャッキ１９で固定される支持構造体１０の台１２を越えて延出する。
【００２５】
図２で示される位置から、ジャッキ１９は引き上げケーブル１８を引き上げるために給電され、したがって、建設されたセグメント６を持ち上げる。矢印Ａによって示されるように、セグメント６は、図３の上側部分に示される位置に移動させられる。図３は、第一のセグメント６の内面と円柱鋼製支柱４の外面との間に位置した案内部材２０も示す。これらの案内部材２０は、セグメント６に固定されており、最も内側の端部は、支柱４と接触支持するためにローラーを有する。いくつかの案内部材２０は、セグメント６の周囲に沿って分布されており、それが建設される間にコンクリート構造体３を案内し、固定する。それらは、セグメント６が十分に上げられると、土台１２に立っているオペレーターによってセグメント６の内部に固定される。あるいは、それらの角度に関する位置はジャッキ１９における角度に関する位置に関してオフセットされ、セグメント６が図２に示される下側部分にあると、それらは固定される。
【００２６】
第一のセグメント６が図３で示される持ち上げられた位置にある状態で、例えば、矢印Ｂで示されるように、コンクリート要素を運び、それらをともに結合することによって、次のセグメント６は、第一のセグメントよりも下に組み立てられる。この次のセグメント６の準備が整うと、矢印Ｃに示されるように、円滑に前回のセグメント６をその頂面に降ろすため、ジャッキ１９は徐々に解除される。必要であれば、それらを結合するために、粘着剤を２つの隣接したセグメント６の接触面に取り付けられてもよい。
【００２７】
現段階では、ジャッキ１９は、引き上げケーブル１８を降ろすように制御され、ブラケット１６は組み立てられたばかりのセグメント６の内面に固定され（あるいは、前のセグメントが取り外された後に）、引き上げケーブル１８の下端は、それぞれブラケット１６の受面１７に対して付与される。その後、図４の矢印Ｄに示されるように、ジャッキ１９は２つの組み立てられたセグメント６を持ち上げるために再び給電される。この持ち上げている作業の間、案内部材２０を使用することによって、コンクリート構造体３は、支柱４に沿って適切に案内される。
【００２８】
図３及び図４の作業の順序は、その後、コンクリート構造体３のすべてのセグメント６が設置されるまで複数回繰り返される。状況に応じて、コンクリート構造体の安定性をより向上するために、例えば符号２０などの追加の案内部材を１以上のセグメント６に設置してもよい。
【００２９】
最後のセグメント６（塔の底部にある１つ）が所定の位置にある後、例えば２００９年１２月２３日に出願された欧州特許第０９３０６３２３．８号に記載された方法を用いて、プレストレストコンクリートにする(prestressing)ケーブルはコンクリート構造体３を補強するために搭載されてもよい。
【００３０】
その後、鋼製支柱は持ち上げられる。前と同様に、この持ち上げは、支持構造体１０の台１２とケーブルジャックとを用いることで行われる。それは、基礎１１から支持構造体１０の下側フレームを取り外した後、行われる。
【００３１】
図５で示した実施形態において、輪状の平板２５はコンクリート構造体３の頂部に取り付けられる。平板２５は、それが持ち上げられると鋼製支柱４のための通路を残す中心孔と、コンクリート構造体の壁の内部ではあるがその周囲に沿って一様に分布して長い引き上げケーブル２８（コンクリート構造体の高さとほぼ同程度の高さ）の下端部を保持する開口部と、を有する。長い引き上げケーブル２８の下端は、土台１２の下面に接触支持するそれぞれのジャッキ２９に接続される。図５の矢印Ｅに示されるように、そのジャッキ２９は、土台１２と、鋼製支柱４及び支持構造体１０のフレーム１３及び１４を含むそれに固定した要素と、を持ち上げるために給電される。
【００３２】
鋼製支柱４の持ち上げの間、前もって建設され、かつ必要であればプレストレスト型(prestressed)のコンクリート構造体３は、支柱４を案内し、かつ安定させるための支持体として使われる。コンクリート構造体３の上端部の近くに設置された案内部材２０（図２及び図３）は、それらの建築の間にコンクリートセグメント６の内面に取り付けられた任意の追加の案内部材と同様に、この場合もやはり、鋼製支柱４に沿うコンクリート構造体３の案内に関与する。
【００３３】
コンクリート構造体３のこの案内機能に関して、重大な局面は明らかに支柱４がコンクリート構造体３の上方におけるその最終位置に達する最終段階である。案内効率は、最上及び最下の支持位置間の垂直距離に比例し、この距離は、さらに風の影響が最大となる最終段階の間で最小限である。
【００３４】
案内機能を強化するために、支持構造体１０の下側フレーム１３の下側部分に取り付けた追加の案内部材３０を用いることによって、上記の垂直距離は増大させられる。上記の案内部材３０は、下側フレーム１３の周囲を囲むように星型配置で分布される。それらそれぞれは、下側フレーム１３に取り付けた固定アーム３１と、下側フレーム１３から離間した固定アーム３１の端部で径方向にスライドする可動アーム３２と、可動アーム３２の端部で水平軸回りに回動可能に搭載されたローラー３３と、可動アーム３２の径方向の伸長を制御するアクチュエータ（図示していない）と、を有する。
【００３５】
案内部材３０は、支柱４を持ち上げるためにジャッキ２９を駆動する前に、支持構造体１０に固定される。そのとき、可動アーム３２は、コンクリート構造体３の内側の壁に接触して付けるために、外方に向けて伸ばされる。支柱が持ち上げられると、可動アーム３２の位置は、案内部材３０の前方のコンクリート構造体３の横断面が減少するにつれて、それらを徐々に引き込むために、アクチュエータを用いて調整される。
【００３６】
風力発電機２のナセル５は、入れ子式に嵌め込む工程の後に、支柱４の頂部に設置される。あるいは、それは、支柱を延長する前に、または、いったん部分的に延長してから設置される。この場合において、望ましいことは、ナセルの重心が塔の中心軸に位置合わせされた、または、近付いている場合である。
【００３７】
図６は、持ち上げ工程の終了時の支柱４と支持構造体１０との位置を示す。図の左側部は、案内部材２０がある場所における角度に関する位置を示す一方、右側部は、引き上げケーブル２８と、結合されたジャッキ２９と、がある場所における角度に関する位置を示す。認められることは、コンクリート構造体３の頂部近くの案内部材２０と支持構造体１０の底部における案内部材３０との間の垂直距離Ｈが、案内部材２０と支柱の底部との間の距離ｈよりも非常に重要であることである。それゆえに、コンクリート構造体３へのその最終的な接続の前に、構造体１０は支柱４を安定させることに寄与する案内構造体として設計される。有利には、図２から図４を参照して説明したコンクリート構造体３の建設段階において、この案内構造体１０は持上支持構造体としても使われる。
【００３８】
図２から図６で示した以外の案内／支持構造体１０の配置を考慮してもよい。このような配置の１つにおいて、構造体１０は、引き上げケーブル１８によって固定台１２に接続されかつ垂直レールに沿ってスライド移動可能な第二の可動台を有する。コンクリート構造体３を組み立てると、可動台は、下部からそれらを持ち上げるためにセグメント６の底部に接触して付けられる。その側縁部は、鋼製支柱４を持ち上げる工程で使われるために、案内部材３０に嵌合される。
【００３９】
支柱４をコンクリート構造体３に接続するために、さまざまな手段が単独でまたは組み合わせて使われる。例えば、鉄骨は、支柱４の下側部分がコンクリート構造体３の上側部分に重なる領域に水平に挿入される。金属支柱４の下側部分で外方に突出する第一の枠組を鋼製支柱４に設け、最も上にあるセグメント６から内方に突出する第二の枠組をコンクリート構造体３に設けることも可能であり、第一及び第二の枠組が延在しかつ重なる空間にセメントまたはモルタルを注ぐことで、持ち上げられた金属支柱をコンクリート構造体に接続することも可能である。
【００４０】
その後、いったん支柱４がコンクリート構造体３に接続されると、案内構造体１０は、金属支柱４の底部分から外され、ケーブル２８及びジャッキ２９を用いて基礎の高さに降ろされる。そして、案内／支持構造体１０は、ほかの類似の塔の建設に再利用されるために、分解され、塔から取り除かれる。
【００４１】
上記で記載した実施形態がこの中で開示した発明の例示であること、及び、さまざまな改良が添付の特許請求の範囲で規定された範囲から逸脱することなく可能であること、が理解されるだろう。例えば、図２から図４を参照して説明された方法でさらに要素を設置する前にクレーンを用いてコンクリート構造体の複数の要素を組み立てることが可能である。
【符号の説明】
【００４２】
１  ハイブリッド型塔、２  風力発電機、３  コンクリート構造体、４  金属支柱、５  ナセル、６  セグメント、７  動翼、１０  支持構造体、１１  基礎、１２  土台、１３  下側フレーム、１４  上側フレーム、１６  ブラケット、１７  受面、１８  引き上げケーブル、１９  ジャッキ、２０  案内部材、２５  平板、２８  引き上げケーブル、２９  ジャッキ、３０  案内部材、３１  固定アーム、３２  可動アーム、３３  ローラー
【図１】
2011220102.tif 000003
【図２】
2011220102.tif 000004
【図３】
2011220102.tif 000005
【図４】
2011220102.tif 000006
【図５】
2011220102.tif 000007
【図６】
2011220102.tif 000008
【外国語明細書】
2011220102.tif 000009
2011220102.tif 000010
2011220102.tif 000011
2011220102.tif 000012
2011220102.tif 000013
2011220102.tif 000014
2011220102.tif 000015
2011220102.tif 000016
2011220102.tif 000017
2011220102.tif 000018
2011220102.tif 000019
2011220102.tif 000020
2011220102.tif 000021
2011220102.tif 000022
2011220102.tif 000023
2011220102.tif 000024